(57)【要約】【課題】  構造が単純で且つ取扱いもいたって簡単で気楽に風呂等で読書するのに役立ち、さらに手や手首などを怪我した時にもその手を上げなくても濡れないようにして風呂に容易に入れるようにした独り用浮き盤を提供する。【解決手段】  上面２ａに平坦部分２０を形成した板状部２と、見かけ密度が１g/cm３よりも小さく、該板状部２の下面又は下部分から下方へ突出して該板状部２に一体化される突出部３とを具備し、該突出部３を下にして水面Ｓ０に置いた際に、前記板状部２の少なくとも上半部２１が水面Ｓ０よりも上方に位置して浮かぶよう構成した。【選択図】  図４
0003124386.tif 000002
【実用新案登録請求の範囲】
【請求項１】
上面に平坦部分を形成した板状部(2)と、見かけ密度が１g/cm３よりも小さく、該板状部の下面又は下部分から下方へ突出して該板状部に一体化される突出部(3)とを具備し、
該突出部を下にして水面に置いた際に、前記板状部の少なくとも上半部(21)が水面よりも上方に位置して浮かぶことを特徴とする独り用浮き盤。
【請求項２】
前記板状部(2）がその一辺の長さが２０cm〜５０cmの範囲内とする平面視矩形に形成され、且つ前記突出部(3)が該板状部の両側縁に沿って設けられる請求項１記載の独り用浮き盤。
【請求項３】
前記板状部(2)及び突出部(3)が発泡体で形成される請求項１又は２記載の独り用浮き盤
【請求項４】
略角柱形とする前記突出部(3)が一対設けられ、且つ両者が前記板状部(2)の下面に平行に配設される請求項３記載の独り用浮き盤。
【考案の詳細な説明】
【技術分野】
【０００１】
本考案は例えば風呂で読書するときなどに用いられる独り用浮き盤に関する。
【背景技術】
【０００２】
近年、風呂で読書する人が増える傾向にあり、従来からこの読書を助ける発明技術が提案されている（例えば特許文献１〜３）。
【０００３】
【特許文献１】特開２００４−１１５１２１号公報
【特許文献２】実開平７−７５２号公報
【特許文献３】実開平５−７４３３０号公報
【考案の開示】
【考案が解決しようとする課題】
【０００４】
しかるに、特許文献１〜３のいずれの発明も構造が複雑で、また取扱いも厄介であった。例えば特許文献２では予め防水読書用袋体内に本を入れ、さらに手を手袋状凹部に突っ込んで使用しなければならないなど、気軽に扱えるものではなかった。
一方、時に手や手首,前腕などを怪我して風呂に入るときは、手を上げて湯に浸かるのがこれまで一般的であった。これを解消できる補助具がなく、前記特許文献１〜３の発明たりとも対応できなかった。
【０００５】
本考案は上記問題点を解決するもので、構造が単純で且つ取扱いもいたって簡単で気楽に風呂等で読書するのに役立ち、さらに手や手首などを怪我した時にもその手を上げなくても濡れないようにして風呂に容易に入れるようにした独り用浮き盤を提供することを目的とする。
【課題を解決するための手段】
【０００６】
上記目的を達成すべく、請求項１に記載の考案の要旨は、上面に平坦部分を形成した板状部(2)と、見かけ密度が１g/cm３よりも小さく、該板状部の下面又は下部分から下方へ突出して該板状部に一体化される突出部(3)とを具備し、該突出部を下にして水面に置いた際に、前記板状部の少なくとも上半部(21)が水面よりも上方に位置して浮かぶことを特徴とする独り用浮き盤にある。ここで、「見かけ密度が１g/cm３よりも小さく」とは、中に空気を満たして浮き袋の形状(例えば板状部の下面又は下部分から下方へ突出する突出部の形状)になるときは、空気を満たして浮き袋になったときの空気を含んだ全体積下の見かけ密度をいう。
請求項２の考案たる独り用浮き盤は、請求項１で、板状部(2）がその一辺の長さが２０cm〜５０cmの範囲内とする平面視矩形に形成され、且つ前記突出部(3)が該板状部の両側縁に沿って設けられることを特徴とする。
請求項３の考案たる独り用浮き盤は、請求項１又は２で、板状部(2)及び突出部(3)が発泡体で形成されることを特徴とする。
請求項４の考案たる独り用浮き盤は、請求項３で、略角柱形とする前記突出部(3)が一対設けられ、且つ両者が前記板状部(2)の下面に平行に配設されることを特徴とする。
【考案の効果】
【０００７】
本考案の独り用浮き盤は、構造が単純でしかも取扱い易く気軽に風呂等で読書するのに用いることができ、さらには手や手首などを怪我した時にもその部分を板状部に載せて湯に濡らさないようにして風呂に入ることができるなど優れた効果を発揮する。
【考案を実施するための最良の形態】
【０００８】
以下、本考案に係る独り用浮き盤について詳述する。
（１）実施形態１
図１〜図６は本考案の独り用浮き盤(以下、単に「浮き盤」という。）の一形態で、図１,２はその全体斜視図を示し、図１は上面側から見た斜視図、図２は下面側から見た斜視図である。図３は図１の正面図、図４は風呂に入って読書する姿態を示す説明正面図、図５は包帯を巻いた前腕を板状部に載せて濡らさぬようにして風呂に浸かっている様子の説明正面図、図６は図１の突出部の端部を尖らせた他態様図で、下面側から見た斜視図である。
【０００９】
浮き盤１は板状部２と突出部３とを具備する。
板状部２は上面２ａに平坦部分２０を形成した板状体である。本発明でいう板状部２は上面２ａに平らな平坦部分２０が設けられた板状になっておれば足りる。また本発明でいう板状部２の板状には文字通り板状の他、シート状のものも含む。
本実施形態の板状部２は一辺(Ｌ１,Ｌ２)の長さが２０cm〜５０cmの範囲内とする平面視矩形に形成され、さらにここでは四辺等しい正方形の平板とする。この板状部２は上面２ａの全域また下面の全域が平坦な基盤になっており、平らな上面全域を利用できる。板状部２の厚みは３cm〜５cmの範囲内とする。板状部２は突出部３を下にして浮き盤１を水面Ｓ０に置いたときに、その板状部２の少なくとも上半部２１が水面よりも上方に位置して浮かぶことができれば、見かけ密度や比重は特に問わない。しかし、板状部２の少なくとも上半部２１が水面Ｓ０よりもより高い上方位置で浮かぶことが望ましく、また浮き盤１の軽量化を図るためにも板状部２は見かけ密度が１g/cm３よりも小さい素材で形成されるのがより好ましい。例えば、板状部２は木材,竹材などの多泡構造の素材で造られたり、多孔性物質たる発泡体などのように見かけ密度が１よりも小さな素材で造られたりするのが良好となる。ここでは独立気泡タイプのプラスチックフォームからなる板状部２とする。独立気泡タイプの板状部２なので、連続気泡タイプと違って風呂の湯Ｓに浮かべたときに湯を吸い込み難く、板状部２が湯Ｓに浮かべた当初湯面Ｓ０からの所定高さを一定時間楽に保持できる。
【００１０】
突出部３は、見かけ密度が１g/cm３よりも小さく、板状部２の下面２ｂ又は下部分から下方へ突出して該板状部２に一体化される出っ張り部である。突出部３を下にして水面Ｓ０に置いた際に、板状部２の少なくとも上半部２１が水面Ｓ０よりも上方に位置して浮かぶ構成にある(図３)。そして、本４や手５などを板状部２の上面２ａに載せても、板状部２がその時点での水面Ｓ１に浮くものとし(図４)、また怪我した手５１を板状部２に載せても、該板状部２が水面Ｓ１に浮かぶものとする(図５)。図３中、符号Ｋの二点鎖線は板状部２の上半部２１と下半部２２の境界ラインを示す。
突出部３はその見かけ密度が１g/cm３よりも小さければ満足するが、見かけ密度はより小さい方が好ましい。そうすれば、例えば図３で浮き盤１を水面Ｓ０に置いたときの水面Ｓ０が実線よりも下方の二点鎖線位置(板状部２より下方位置)にくるようにできる。浮き盤１を水面Ｓ０に置いたとき水面位置がこの二点鎖線位置になり、板状部２が水面Ｓ０の上方に配されると、板状部２の上に載る本４などが一層濡れ難くなりより好ましくなる。突出部３の見かけ密度が使用に供される所定時間、安定維持できれば更に好ましい。具体的には多孔性物質で、プラスチックフォームやラバーフォーム等の発泡体などである。ここでの突出部３は板状部２と同様、独立気泡タイプのプラスチックフォームからなる。
【００１１】
独立気泡タイプのプラスチックフォームは各セルが独立して隔膜で仕切られているため、スポンジ等の連続気泡タイプのものと違って水面に置いたときに水が気泡内に浸透してくることがなく、浮力維持に有効となる。独立気泡タイプのプラスチックフォームには例えば常圧発泡法,押出発泡法等の発泡剤分解法によるフォームや、型内発泡法,押出発泡法等の溶剤気散法によるものがある。具体的にはポリエチレン,ポリプロピレン,ポリスチレン,ＡＢＳ,アクリル樹脂,シリコーン,硬質ゴム等は独立気泡タイプのプラスチックフォーム,ラバーフォームなどである。これらのいずれかで、突出部３さらに板状部２を構成するのが好ましい。
尚、製造コストが高くなるが、突出部３が連続気泡タイプの発泡体で形成されても、該突出部の外面をフィルムで覆ったりコーティングで保護したりして、水に浮かべたときに内部に水が浸透しないようにすれば、独立気泡タイプの発泡体と同様の効果を得ることができる。
【００１２】
本実施形態は突出部３たる突出体と板状部２たる板状体とを別体構成とし、両者を接合一体化して浮き盤１を形成するが、突出部３と板状部２とが同材質の場合は両者を一体成形できる。一体成形であれば浮き盤１を安く生産でき有意義となる。ただ、板状部２に関しては手５１や本４が載った時に凹んだりせずにある程度は安定保持できるようにすることが求められるため、その見かけ密度を０.３〜０.５g/cm３の低発泡のプラスチックフォームとし、突出部３はより大きな浮力を得るため高発泡のプラスチックフォームにし、両者を接着剤等で一体化するのが性能向上等の点からより好ましくなる。
【００１３】
本実施形態では、板状部２が図１のごとく平面視矩形に形成されるなか、突出部３が板状部２の両側縁に沿って設けられる。略四角柱形の突出部３が一対設けられ、両突出部３が板状部２の下面２ｂで四角柱の長手部分を平行に配設してその長手部分の一面が該下面２ｂに固着される。板状部２の高さ(厚み)ｈ１と突出部の高さｈ２は略同じとする(図２)。平面視で、突出部３の外側面３４が板状部２の外側面２４に一致し、突出部３の端面３５が板状部２の端面２５に一致する。斯かる略四角柱形の突出部３が板状部２の両側縁に沿って設けられると、浮き盤１を水面Ｓ０に置いた時に横ぶれや横方向への動きが規制されるので、風呂で読書したり怪我した手５１を載せたりした時に、不用意に横ズレせず、より一層の安定感が得られる。
【００１４】
図６の浮き盤１は突出部３の一端を裏面視先細りに尖らせた別態様品である。流線形した先細りの先鋭部分２９は水の抵抗が少なくなっており、この浮き盤１は風呂に浸かっての読書や風呂で怪我した手５１などを載せる浮き盤としての利用法だけでなく、プールなどで泳ぎを助ける浮き板にも有効活用できる。尚、図６の浮き盤１の板状部２は突出部３の先細りの先鋭部分２９の形状に合わせて角部をカットしている。
【００１５】
このように構成した浮き盤１は、風呂等で読書する際、特許文献１〜３のように予め袋体やプラスチック容器の中に本４を入れたりする苦労や、また手袋状の凹部に手５１を突っ込んで本４を保持したりする面倒な負担を強いられることがなく、単に湯面Ｓ０に浮き盤１を置き、その上面２ａの平坦部分２０に本４を載せるだけで本４を気楽に読めるので(図４)、取扱いがいたって簡単である。気軽るに浮き盤１を利用できるようになる。また、浮き盤１は構造が単純で、特許文献１〜３と比較して低コストで製造できる。
さらに手５１や手首５２などを怪我した時にもその部分を板状部２の平坦部分２０に載せるだけで(図５)、湯Ｓにその部分が不用意に浸かってしまうのを防止できる。風呂に浸かりながらだるくなったら、図５の矢印方向のごとく肘等を支点にして動かすこともできる。特許文献１〜３と違って多目的利用が可能である。これまでのように怪我した手５１を挙げて風呂に入る必要がなく、その労苦から解放される。包帯６などが巻かれている場合でも、板状部２の上面２ａに載せて包帯６が濡れるのを防ぐことができる。
加えて、本浮き盤１は水泳の時に使用する遊泳補助板にも利用できる。泳ぎを補助する浮き盤として用いる場合は、図６のごとく突出部３を流線形した先細りの先鋭部分２９にすると水Ｓの抵抗が少なくなりより好適となる。
かくのごとく、本浮き盤１は風呂等で読書するときに用いる補助具、また怪我した手５１をその上に置いて風呂に容易に入れる補助具として優れた効果を発揮し、さらに泳ぎを助ける遊泳補助板などとしても役立ち、多大な効を奏する。
【００１６】
（２）実施形態２
本実施形態は図７ごとくの浮き盤１である。図７(イ)は裏面側から見た浮き盤の斜視図、図７(ロ)は水面に浮かべた時の縦断面図を示す。
上面２ａに平坦部分２０を形成した板状部２と、見かけ密度が１g/cm３よりも小さく、該板状部２の下面２ｂ又は下部分から下方へ突出して該板状部２に一体化される突出部３とを具備する。実施形態１と同じく、突出部３を下にして水面Ｓ０に置いた際に、板状部２の少なくとも上半部２１が水面Ｓ０よりも上方に位置して浮かぶ浮き盤であるが、ここでの板状部２は図７のごとく円形の合成樹脂製シート状体(又は薄板)とする。
突出部３は発泡体で造られるが、その形状を図示のごとくの円筒状体とする。他の構成は実施形態１と同様で、その説明を省く。実施形態１と同一符号は同一又は相当部分を示す。
【００１７】
このように構成した浮き盤１は、突出部３を円筒状体とすることによって、突出部３を下にして水面に置いた時に円筒内壁３６と板状部２とがつくる密閉空間Ｏに空気を封じ込める(図７のロ)。板状部２の上面２ａに手５１や本４を載せた場合に、その重みで浮き盤が沈もうとするが、円筒内壁３６,板状部２が密閉空間Ｏ内の空気の逃げ道を塞ぐためその空気が圧縮し圧力が高まり反発する。突出部３が沈むことによる浮力の増大と相まって、浮き盤を水面上に浮かべるのに効果的に役立ち、より一層好ましくなっている。他の効果は実施形態１と同様で、その説明を省く。
【００１８】
（３）実施形態３
本実施形態は図８〜図１０ごとくの浮き盤である。図８は浮き盤の全体斜視図、図９は図８の縦断面図、図１０は図９の浮き盤にコップを挿着固定した縦断面図を示す。
実施形態１の浮き盤１は、板状部２と突出部３とが別体で、両者を接合一体化した。これに対し、本実施形態は発泡原料を用い、板状部２と突出部３とを一体発泡成形で造った浮き盤とする。上面２ａに平坦部分２０を形成した見かけ密度が１g/cm３よりも小さい発泡体からなる板状部２と、該板状部２の下面側から下方へ突出する見かけ密度が１g/cm３よりも小さい発泡体からなる突出部３とを備える。そして、突出部３を下にして水面Ｓ０に置いた時に、板状部２の少なくとも上半部２１が水面よりも上方に位置して浮かぶ浮き盤である。板状部２は辺Ｌ１とＬ２が異なる長方形の平板とする。さらに板状部２のほぼ中央に円錐台状の穿設孔２３を設け(図８,図９)、該穿設孔２３に飲料水を入れたコップ７を挿着固定できるようにしている。板状部２は発泡体からなるので、多少弾性変形してコップ７を穿設孔２３内に受け入れることができ、さらに受け入れた後はその弾性復元力でコップ７をしっかりと保持する。本実施形態はコップ７用の穿設孔２３としたが、例えばビール缶の固定用に設ける穿設孔２３であったりしてもよい。また穿設孔２３とせずに凹所とすることもできる。他の構成は実施形態１と同様で、その説明を省く。実施形態１と同一符号は同一又は相当部分を示す。
【００１９】
このように構成した浮き盤１は実施形態１の効果に加え、風呂などの湯面Ｓ０に、浮き盤１を介して飲料水８などを入れたコップ７を湯面上に浮かばせることができる。水分補給用コップ７などを安定保持する便利な浮き盤にもなる。
【００２０】
（４）実施形態４
本実施形態は図１１,図１２ごとくの浮き盤である。図１１は浮き盤の全体斜視図、図１２は図１１の浮き盤の縦断面図を示す。
本浮き盤１は合成樹脂製シートで袋状体に形成され、袋状体の中に空気Ｇを入れることによって、上面２ａに平坦部分２０を形成した板状部２と該板状部の下面２ｂ又は下部分から下方へ突出して該板状部に一体化される突出部３とを備える浮き袋を形成する。そして、袋状体の中に空気を入れて膨らました状態下の突出部３、さらに浮き盤１の見かけ密度が１g/cm３よりも小さくなって、突出部３を下にして水面Ｓ０に置いた際に、板状部２の少なくとも上半部２１が水面Ｓ０よりも上方に位置して浮かぶ浮き盤となる構成である。袋状体の中に空気Ｇを入れて浮き袋状に膨らますと、板状部２と突出部３とで図１２のごとく縦断面「凹」字状の浮き袋となる。符号９１は袋体内に空気Ｇを入れるためのノズルで、ここでは突出部３の外側面２４に立設する。符号９２はノズル９１の開口端を着脱自在に塞ぐことのできるキャップを示す。
浮き盤１は、空気Ｇを抜くと薄いシート状になるが、ノズル９１から浮き盤１の袋体内へ空気Ｇを入れて膨らませれば、図１１,図１２のごとく見かけ密度が１g/cm３よりも小さくなって水面に浮かべたときに、板状部２の少なくとも上半部２１が水面Ｓ０よりも上方に位置して浮かぶ文字通りの浮き盤になる。本実施形態の浮き盤１は袋体内へ空気Ｇを入れて膨らませたときの外観形状が実施形態１の浮き盤１とほぼ同じくする。他の構成は実施形態１と同様で、その説明を省く。実施形態１と同一符号は同一又は相当部分を示す。
【００２１】
このように構成した浮き盤は、実施形態１の効果に加え、ノズル９１から袋体内の空気Ｇを抜いてしまえば薄いシート状になり、また折り畳みもでき、場所をとらず保管,持ち運び等に便利になる。そして、必要な時だけ、ノズル９１から袋体内に空気Ｇを入れて見かけ密度が１g/cm３よりも小さくなる所望の浮き盤とすることができるのでさらに重宝なものとなる。
【００２２】
（５）実施形態５
本実施形態は図１３ごとくの浮き盤である。図１３の(イ)は浮き盤の全体斜視図、(ロ)は(イ)の浮き盤の縦断面図を示す。
本実施形態の浮き盤１は実施形態２の浮き盤１の発泡体で形成された突出部３を、合成樹脂製シートで袋状体に形成する。そして、この袋状体の中に空気Ｇを入れることによって、板状部２の下部分(又は下面)から下方へ膨出する浮き袋にし、板状部２の下部分(又は下面)から下方へ突出する突出部３を形成する浮き盤となる構成である。実施形態４の浮き盤は袋状体内に空気Ｇを入れることによって板状部２及び突出部３が膨らむ袋状体の浮き袋を形成したが、本実施形態の浮き盤１は板状部２を合成樹脂製シート状体のままとし、袋状体内に空気Ｇを入れることによって突出部３だけが膨らむ浮き袋を形成する。突出部３に係る袋状体の中に空気Ｇを入れて膨らました状態下の該突出部の見かけ密度が１g/cm３よりも小さくなって、突出部３を下にして水面に置いた際に、前記板状部２の少なくとも上半部２１が水面Ｓ０よりも上方に位置して浮かぶ浮き盤１となっている。他の構成は実施形態１,４と同様で、その説明を省く。実施形態１,４と同一符号は同一又は相当部分を示す。
このように構成した浮き盤も突出部３に浮き袋を有しているので、実施形態４と同様の効果が得られる。
【００２３】
尚、本考案においては、前記実施形態,実施例に示すものに限られず、目的,用途に応じて本考案の範囲で種々変更できる。板状部２,突出部３等の形状,大きさ等は用途等に合わせて適宜選択できる。
【図面の簡単な説明】
【００２４】
【図１】実施形態１の独り用浮き盤で、上面側から見た全体斜視図である。
【図２】図１の独り用浮き盤を下面側から見た全体斜視図である。
【図３】図１の正面図である。
【図４】風呂に入って読書する姿態を示す正面図である。
【図５】包帯を巻いた前腕を板状部に載せて濡らさぬようにして風呂に浸かっている姿態の正面図である。
【図６】図１の突出部の端部を尖らせた他態様図で、下面側から見た斜視図である。
【図７】実施形態２の独り用浮き盤で、(イ)は裏面側から見た浮き盤の斜視図、(ロ)は水面に浮かべた時の縦断面図である。
【図８】実施形態３の独り用浮き盤で、その全体斜視図である。
【図９】図８の独り用浮き盤の縦断面図である。
【図１０】図８の独り用浮き盤にコップを挿着固定した縦断面図である。
【図１１】実施形態４の独り用浮き盤で、裏面側から見た全体斜視図である。
【図１２】図１１の独り用浮き盤の縦断面説明図である。
【図１３】実施形態５の独り用浮き盤で、(イ)が下面側から見た全体斜視図、(ロ)が(イ)の縦断面説明図である。
【符号の説明】
【００２５】
１          独り用浮き盤（浮き盤）
２          板状部
２ａ        上面
２ｂ        下面
２０        平坦部分
２１        上半部
３          突出部
Ｓ０        水面(湯面)
【図１】
0003124386.tif 000003
【図２】
0003124386.tif 000004
【図３】
0003124386.tif 000005
【図４】
0003124386.tif 000006
【図５】
0003124386.tif 000007
【図６】
0003124386.tif 000008
【図７】
0003124386.tif 000009
【図８】
0003124386.tif 000010
【図９】
0003124386.tif 000011
【図１０】
0003124386.tif 000012
【図１１】
0003124386.tif 000013
【図１２】
0003124386.tif 000014
【図１３】
0003124386.tif 000015
【手続補正書】
【提出日】平成18年6月26日(2006.6.26)
【手続補正１】
【補正対象書類名】実用新案登録請求の範囲
【補正対象項目名】全文
【補正方法】変更
【補正の内容】
【実用新案登録請求の範囲】
【請求項１】
上面に平坦部分を形成した板状部(2)と、見かけ密度が１g/cm３よりも小さく、該板状部の下面又は下部分から下方へ突出して該板状部に一体化される突出部(3)とを具備し、
該突出部を下にして水面に置いた際に、前記板状部の少なくとも上半部(21)が水面よりも上方に位置して浮かぶことを特徴とする独り用浮き盤。
【請求項２】
前記板状部(2)の一辺の長さが２０cm〜５０cmの範囲内とする平面視矩形に形成され、且つ前記突出部(3)が該板状部の両側縁に沿って設けられる請求項１記載の独り用浮き盤。
【請求項３】
前記板状部(2)及び突出部(3)が発泡体で形成される請求項１又は２記載の独り用浮き盤
【請求項４】
略角柱形とする前記突出部(3)が一対設けられ、且つ両者が前記板状部(2)の下面に平行に配設される請求項３記載の独り用浮き盤。
【請求項５】
合成樹脂製シートで袋状体に形成され、該袋状体の中に空気(G)を入れることにより、上面(2a)に平坦部分(20)を形成した板状部(2)と該板状部の下面(2b)又は下部分から下方へ突出して該板状部に一体化される突出部(3)とを具備し、袋状体の中に空気を入れて膨らました状態下の突出部(3)の見かけ密度が１g/cm３よりも小さくなって、突出部(3)を下にして水面(S０)に置いた際に、板状部(2)の少なくとも上半部(21)が水面(S０)よりも上方に位置して浮かぶことを特徴とする独り用浮き盤。
【請求項６】
上面(2a)に平坦部分(20)を形成した板状部(2)と、見かけ密度が１g/cm３よりも小さく、該板状部(2)の下面(2b)又は下部分から下方へ突出して該板状部(2)に一体化される突出部(3)とを具備し、且つ前記板状部(2)を円形の合成樹脂製シート状体又は薄板とする一方、前記突出部(3)を合成樹脂製シートで袋状体に形成し、この袋状体の中に空気(G)を入れることにより、板状部(2)の下部分又は下面から下方へ膨出する浮き袋にして、板状部(2)の下部分又は下面から下方へ突出する円筒状体とし、該突出部(3)を下にして水面(S０)に置いた際に、前記板状部(2)の少なくとも上半部(21)が水面(Ｓ０)よりも上方に位置して浮かぶことを特徴とする独り用浮き盤。
【手続補正２】
【補正対象書類名】明細書
【補正対象項目名】０００６
【補正方法】変更
【補正の内容】
【０００６】
上記目的を達成すべく、請求項１に記載の考案の要旨は、上面に平坦部分を形成した板状部(2)と、見かけ密度が１g/cm３よりも小さく、該板状部の下面又は下部分から下方へ突出して該板状部に一体化される突出部(3)とを具備し、該突出部を下にして水面に置いた際に、前記板状部の少なくとも上半部(21)が水面よりも上方に位置して浮かぶことを特徴とする独り用浮き盤にある。ここで、「見かけ密度が１g/cm３よりも小さく」とは、中に空気を満たして浮き袋の形状(例えば板状部の下面又は下部分から下方へ突出する突出部の形状)になるときは、空気を満たして浮き袋になったときの空気を含んだ全体積下の見かけ密度をいう。
請求項２の考案たる独り用浮き盤は、請求項１で、板状部(2)の一辺の長さが２０cm〜５０cmの範囲内とする平面視矩形に形成され、且つ前記突出部(3)が該板状部の両側縁に沿って設けられることを特徴とする。
請求項３の考案たる独り用浮き盤は、請求項１又は２で、板状部(2)及び突出部(3)が発泡体で形成されることを特徴とする。
請求項４の考案たる独り用浮き盤は、請求項３で、略角柱形とする前記突出部(3)が一対設けられ、且つ両者が前記板状部(2)の下面に平行に配設されることを特徴とする。
請求項５に記載の考案の要旨は、合成樹脂製シートで袋状体に形成され、該袋状体の中に空気(G)を入れることにより、上面(2a)に平坦部分(20)を形成した板状部(2)と該板状部の下面(2b)又は下部分から下方へ突出して該板状部に一体化される突出部(3)とを具備し、袋状体の中に空気を入れて膨らました状態下の突出部(3)の見かけ密度が１g/cm３よりも小さくなって、突出部(3)を下にして水面(S０)に置いた際に、板状部(2)の少なくとも上半部(21)が水面(S０)よりも上方に位置して浮かぶことを特徴とする独り用浮き盤にある。
請求項６に記載の考案の要旨は、上面(2a)に平坦部分(20)を形成した板状部(2)と、見かけ密度が１g/cm３よりも小さく、該板状部(2)の下面(2b)又は下部分から下方へ突出して該板状部(2)に一体化される突出部(3)とを具備し、且つ前記板状部(2)を円形の合成樹脂製シート状体又は薄板とする一方、前記突出部(3)を合成樹脂製シートで袋状体に形成し、この袋状体の中に空気(G)を入れることにより、板状部(2)の下部分又は下面から下方へ膨出する浮き袋にして、板状部(2)の下部分又は下面から下方へ突出する円筒状体とし、該突出部(3)を下にして水面(S０)に置いた際に、前記板状部(2)の少なくとも上半部(21)が水面(Ｓ０)よりも上方に位置して浮かぶことを特徴とする独り用浮き盤にある。